(57)【要約】【課題】携帯電話装置等の放送表示手段において、表示中の放送の視聴が困難であるか、視聴しづらくなった場合等に、録画手段によってスムーズに視聴中の放送と同一の内容の放送の録画が可能な放送録画システムを提供することを目的とする。【解決手段】放送表示手段（携帯電話装置）１で、受信した放送３を表示中に、当該放送の視聴が適切にできるか否かに関する情報を定期的にインターネット５を介して録画手段２に送信し、録画手段２は、受信した情報を、監視し、内容を解析した結果、放送表示手段１での放送３の視聴が適切にできないと判断した場合、放送表示手段１で表示している放送と同じ内容の放送４を録画手段２が受信し録画を開始するようにしたことで、上記課題を解決する。【選択図】図１
2008211334.tif 000002
【特許請求の範囲】
【請求項１】
電波による放送を受信する受信機能を有し受信した放送を視聴可能に表示する放送表示手段と、受信した放送を録画する録画手段を備え、
前記放送表示手段は、受信した放送を表示中に、当該放送の視聴が適切にできるか否かに関する放送視聴情報を定期的にインターネットを介して前記録画手段に送信する放送視聴情報送信機能を有し、
前記録画手段は、インターネットを介して受信した前記放送視聴情報を、常時監視・解析する機能を有し、該機能で監視し、内容を解析した結果、前記放送表示手段での前記放送の視聴が適切にできないと判断した場合、前記放送表示手段で表示している前記放送と同じ内容の電波による放送を当該録画手段が受信し録画を開始するように構成してなる放送録画システム。
【請求項２】
請求項１に記載の放送録画システムにおいて、前記放送視聴情報には、前記放送表示手段が表示している放送の受信の感度の度合いを示す受信信号レベル情報を含み、当該受信信号レベル情報の示す放送の受信の感度の度合いが、あらかじめ定めた設定値以下の場合、前記録画手段は録画を開始することを特徴とする放送録画システム。
【請求項３】
請求項１又は請求項２に記載の放送録画システムにおいて、前記放送視聴情報には、前記放送表示手段の電池の残量を知らせる電池残量情報を含み、当該電池残量情報の示す電池の残量があらかじめ定めた設定値以下の場合、前記録画手段は録画を開始することを特徴とする放送録画システム。
【請求項４】
請求項１乃至請求項３のいずれか一項に記載の放送録画システムにおいて、前記放送視聴情報には、前記放送表示手段で放送の表示を終了した際、その終了を知らせる表示終了情報を含み、
前記放送視聴情報を一端受信し、かつ、前記表示終了情報を受信していない場合であって、その後、前記放送視聴情報を受信しなくなった場合、前記録画手段は録画を開始することを特徴とする放送録画システム。
【請求項５】
請求項１乃至請求項４のいずれか一項に記載の放送録画システムにおいて、前記放送表示手段は携帯電話装置に内蔵されていることを特徴とする放送録画システム。
【請求項６】
請求項５に記載の放送録画システムにおいて、前記放送視聴情報には、前記携帯電話装置が通話中であるか否かを知らせる通話情報を含み、当該通話情報が前記携帯電話装置が通話中であることを示す場合、録画を開始することを特徴とする放送録画システム。
【発明の詳細な説明】
【技術分野】
【０００１】
本発明は、放送録画システムに関し、特に、電波による放送を受信し表示する機能を有しインターネットに接続可能な携帯電話装置等の放送表示手段で、放送を視聴が困難となった場合等に、録画手段で録画を開始することを可能にする放送録画システムに関する。
【背景技術】
【０００２】
近年、携帯電話装置はインターネット機能を有すると共に、電波による放送を受信し映像を表示する機能を有するものが増えている。しかし、携帯電話装置で、通話中である場合や移動等で電波が受信しにくい場合は、放送を視聴することができない。これらの場合は、予期することが難しく、あらかじめ視聴する放送の録画の予約をしておけない場合が多々あり、視聴したい番組を見逃す可能性も高い。
【０００３】
特許文献１では、ＴＶ受信機能付き携帯電話装置において、当該携帯電話装置でＴＶ放送の視聴中に別の電話装置からの着呼があった場合でも、一時的にその通話応答を保留状態にして、ＴＶ番組録画サービスセンターに回線接続して録画依頼が行える発明が開示されている。さらに、特許文献１には、ＴＶ放送の視聴中、ＴＶ電波が弱くなった場合等においても、録画サービスセンターに回線接続し録画依頼が行える発明が開示されている。
【特許文献１】特開２００５−５７４７５号公報
【発明の開示】
【発明が解決しようとする課題】
【０００４】
しかし、特許文献１で開示された発明では、携帯端末で放送を視聴中に着信があった場合、通話を開始する前に、録画を依頼する録画サービスセンターに回線接続して、視聴しているＴＶ番組の録画依頼を行う必要があるため、録画依頼が終了するまで通話ができない。また、録画サービスセンターのレスポンスが遅い時にはなおさら、通話するまでに時間を要し、通話の着信がきてから即座に通話を開始することが困難であった。さらに、ＴＶ電波が弱くなった場合等でも、携帯電話装置が電話で通話するための電波の圏外にあるときは、録画サービスセンターに対して回線接続できず、録画依頼を行うことができない。
【０００５】
本発明は、上記問題点に鑑み、電波による放送を受信し視聴可能に表示する機能を有する携帯電話装置等の放送表示手段において、表示中の放送の視聴が困難であるか、視聴しづらくなった場合、もしくは、視聴できなくなると予期される場合に、スムーズに視聴中の放送と同一の内容の放送の録画を録画手段で開始することを可能とする放送録画システムを提供することを目的とする。
【課題を解決するための手段】
【０００６】
上記目的を達成するために、本発明の放送録画システムは、電波による放送を受信する受信機能を有し受信した放送を視聴可能に表示する放送表示手段と、受信した放送を録画する録画手段を備え、前記放送表示手段は、受信した放送を表示中に、当該放送の視聴が適切にできるか否かに関する放送視聴情報を定期的にインターネットを介して前記録画手段に送信する放送視聴情報送信機能を有し、前記録画手段は、インターネットを介して受信した前記放送視聴情報を、常時監視・解析する機能を有し、該機能で監視し、内容を解析した結果、前記放送表示手段での前記放送の視聴が適切にできないと判断した場合、前記放送表示手段で表示している前記放送と同じ内容の電波による放送を当該録画手段が受信し録画を開始するように構成してなる。
【０００７】
さらに、本発明の放送録画システムは、前記放送視聴情報には、前記放送表示手段が表示している放送の受信の感度の度合いを示す受信信号レベル情報を含み、当該受信信号レベル情報の示す放送の受信の感度の度合いが、あらかじめ定めた設定値以下の場合、前記録画手段は録画を開始することを特徴とする。さらに、本発明の放送録画システムは、前記放送視聴情報には、前記放送表示手段の電池の残量を知らせる電池残量情報を含み、当該電池残量情報の示す電池の残量があらかじめ定めた設定値以下の場合、前記録画手段は録画を開始することを特徴とする。
【０００８】
さらに本発明の放送録画システムは、前記放送視聴情報には、前記放送表示手段で放送の表示を終了した際、その終了を知らせる表示終了情報を含み、前記放送視聴情報を一端受信し、かつ、前記表示終了情報を受信していない場合であって、その後、前記放送視聴情報を受信しなくなった場合、前記録画手段は録画を開始することを特徴とする。
【０００９】
さらに、本発明の放送録画システムは、前記放送表示手段は携帯電話装置に内蔵されていることを特徴とする。さらに、本発明の放送録画システムは、前記放送視聴情報には、前記携帯電話装置が通話中であるか否かを知らせる通話情報を含み、当該通話情報が前記携帯電話装置が通話中であることを示す場合、録画を開始することを特徴とする。
【発明の効果】
【００１０】
本発明によれば、放送表示手段において、放送を視聴する際に、なんらかの不可抗力によって放送の視聴が適切にできないと判断した場合に、録画手段で、視聴している放送と同一の内容の放送の録画を開始することを可能にする。これにより、例えば、後に録画した放送を再生することで、視聴できなかった放送を見ることができる。
【００１１】
そして、さらに、本発明によれば、放送表示手段が表示している放送の受信の感度の度合いが一定値以下で放送の視聴が難しい想定される場合、放送表示手段の電池の残量が少なく、放送の視聴ができなくなりそうな場合、放送表示手段がインターネット接続の範囲外で放送の視聴ができない区域にいる可能性が高いと想定される場合、放送表示手段が携帯電話装置であって携帯電話装置で通話しているため放送の視聴ができないと想定される場合において、録画手段で録画を開始することができる。
【発明を実施するための最良の形態】
【００１２】
以下、図面を参照しながら本発明の好適な実施の形態について詳細に説明する。図１は、本発明の一実施形態による発明の構成図である。
【００１３】
携帯電話装置１は携帯機器向け放送３を受信でき、その放送を表示する機能を有する。さらに、インターネットに接続可能で、インターネット５を通じ情報のやりとりをすることができる。録画手段２は携帯機器向け放送３と同一の内容の放送４を受信でき、受信した放送を録画する機能を有する。さらにインターネット機能を有し、携帯電話装置１とインターネット５で情報のやりとりが可能となっている。
【００１４】
携帯機器向け放送３としては、例えば１セグメント放送等が上げられる。また、録画手段２が受信する放送４としては、携帯機器向け放送以外に、地上波放送、衛星放送等の放送も含まれアナログ方式でもデジタル方式でもよい。すなわち、携帯電話装置１が受信する携帯機器向け放送３と同一の内容の放送を受信できれば、放送の方式は異なっていても可能である。もちろん、同一の放送の方式によるものでも可能である。
【００１５】
録画手段２の録画の方式としては、ビデオテープ等の磁気テープによる録画のほか、ＤＶＤ、ハードディスク、フラッシュメモリ等による録画も含まれる。すなわち、放送された映像を録画することができれば、その手段は特定されるものではない。また、録画手段２は、家庭等に設置され、録画することができる。家庭以外でも、例えば、サービスセンター等を設け、複数の携帯電話装置１で受信し視聴する各放送と同一の内容の各放送の録画をする方法でも可能である。いずれにしても、インターネット５に接続し、携帯電話装置１で視聴している放送３と同一の内容の放送を受信し録画できる手段であれば、録画手段２の設置場所が特定されるものではない。
【００１６】
図２は、携帯電話装置１における制御を表すフローチャートである。
【００１７】
携帯電話装置１において、まず、携帯電話装置１で放送を受信し、視聴しているか否かを判断する（Ｓ２２）。そして、視聴中である場合、すなわち、携帯電話装置１での放送の表示を行っている場合は、受信チャンネル、着信情報、電池残量、放送の受信信号のレベル等の情報を、一定間隔で送信する（Ｓ２３）。送信は、インターネット５を通じ、録画手段２へ送られる。一定間隔で送信するのは、携帯電話装置１での放送の視聴が、困難になるか、しづらい状況になった場合等に、録画手段２での録画が、各情報の解析に基づき、スムーズに行えるようにするためである。
【００１８】
受信チャンネルの情報は、視聴している放送の種類やチャンネルの情報である。例えば、１セグメント放送で１チャンネルを視聴中であれば、これらの１セグメント放送を受信し１チャンネルを視聴している情報を送信する。すなわち、録画手段２で録画する場合に、視聴中の放送と同一内容の放送を特定することができる為に必要な情報である。
【００１９】
着信情報は、携帯電話装置１において、携帯電話装置により通話している否かの情報である。携帯電話装置で通話中に、放送を視聴できない場合を考慮したものである。これらは、単に携帯電話による電話の着信があった場合に着信情報として送信することも可能であり、通話を開始してから通話中であることを知らせる通話情報として送信することも可能である。
【００２０】
電池の残量の情報は、携帯電話装置１の電池の残量がどれくらいかを示す情報である。電池切れにより、携帯電話装置１での放送の視聴ができなくなることを考慮したものである。電池の残量の情報を一定間隔で常に送信すること以外に、電池の残量レベルが一定値以下になってから電池の残量の情報を送信することも可能である。
【００２１】
放送の受信信号のレベルの情報は、携帯電話装置１で視聴している放送を、携帯電話装置１がどの程度のレベルで受信しているのかという情報である。すなわち、受信信号のレベルが低ければ、携帯電話装置１での放送の映像表示が悪くなり、放送の視聴が、困難となるか、もしくは、見づらい状況となることを考慮したものである。放送の受信信号レベルの情報を一定間隔で常に送信すること以外に、放送の受信信号レベルが一定値以下になってから放送の受信信号レベルの情報を送信することも可能である。
【００２２】
そして、携帯電話装置１での放送の視聴が終了した否か判断し（Ｓ２４）、放送の視聴が終了した場合には、視聴の終了の情報を含むパケットを送信する（Ｓ２４，Ｓ２５）。そして、上記視聴中に送信していた情報の送信は終了する。
【００２３】
図３は録画手段における録画が開始されるまでの制御を表すフローチャートである。
【００２４】
録画手段２は、携帯電話装置１が放送を視聴していることを示す情報を含むパケットが携帯電話装置１からインターネット５を介して到着すると、それが一定間隔で送信されているかを確認する（Ｓ３２）。
【００２５】
視聴の終了の情報を含むパケットが来ないにもかかわらず、一定時間、視聴中に携帯電話装置１から送信されるべき情報を含んだパケットがこないままであると、携帯電話装置１がインターネットに接続できない区域である携帯通信ネットワークの圏外である区域に移動した可能性が高い、このような状況になったと認められた場合、携帯機器向け放送３も受信できない可能性も高いので、直前に携帯電話装置１から受信した受信チャンネルの情報をもとに録画手段で録画を開始する（Ｓ３３〜Ｓ３５）。
【００２６】
また、視聴中に送信される情報を含んだパケットが定期的に受信できる場合でも、パケットの中身から、携帯電話装置１で放送の視聴が困難な状況等にあると判断された場合においても受信した受信チャンネルの録画を開始する（Ｓ３４）。これらの例について以下に述べる。
【００２７】
例えば、携帯電話装置１において、携帯電話装置により通話している場合は、電話を通話している者が放送を視聴できない場合がある。そのため、携帯電話装置１から受信した情報のなかの通話情報が、携帯電話装置で通話中であることを示す場合は、録画手段１で録画を開始する。また、この他に、携帯電話装置１で携帯電話による通話の着信があった場合に、携帯電話装置１から、その着信を知らせる着信情報を録画手段１が受信した場合、録画を開始することもできる。この場合は、いち早く録画を開始できる効果を有する。
【００２８】
次の例として、携帯電話装置１の電池の残量がどれくらいかを示す電池の残量の情報で、電池の残量レベルが一定値以下の場合に録画を開始する。電池切れにより、携帯電話装置１での放送の視聴ができなくなることを考慮したものである。
【００２９】
また、次の例として、携帯電話装置１の放送の受信の感度の度合いがどの程度のレベルかという放送の受信信号のレベルの情報が、一定値以下の場合に録画を開始する。受信信号のレベルが低ければ、携帯電話装置１での放送の表示ができないか、若しくは放送の表示が悪くなっており、携帯電話装置１での放送の視聴が、困難となるか、もしくは、見づらい状況となることを考慮したものである。
【００３０】
上記実施例は、携帯電話装置について説明してきたが、携帯電話装置でなくても、電波による放送を受信し、放送を表示可能で、インターネットに接続できる放送表示手段であれば、通話に関する機能に関係する部分を除き、実現可能である。すなわち、放送の受信信号レベルが一定値以下の場合や、電池残量が少ない場合、視聴中にインターネットに接続できなくなった場合に、録画手段において、放送表示手段で、受信し視聴している放送と同一の内容の放送を録画することができる。
【００３１】
さらに、携帯電話装置１の放送の受信は、携帯機器向けの放送について述べたが、当該放送は、携帯機器向け放送のみでなく、地上波放送や衛星放送でも可能である。すなわち携帯電話装置１（若しくは放送表示手段）が受信できる放送であれば、放送の方式は問わない。
【図面の簡単な説明】
【００３２】
【図１】本発明の実施例の発明の構成図。
【図２】携帯電話装置における制御を表すフローチャート。
【図３】録画手段における録画が開始されるまでの制御を表すフローチャート。
【符号の説明】
【００３３】
１    携帯電話装置
２    録画手段
３    携帯電話装置が受信する放送
４    録画手段が受信する放送
５    インターネット
【図１】
2008211334.tif 000003
【図２】
2008211334.tif 000004
【図３】
2008211334.tif 000005